(57)【特許請求の範囲】
【請求項１】
それぞれ側面に長手方向に延びる取付溝を設けられた複数のデッキ材を互いに平行に並んだ状態でデッキ材支持材上に取り付けるデッキ材取付金具において、
当該取付金具のうちの前記デッキ材の前記長手方向に対応する方向（以下、金具長さ方向という）の一端側および他端側においてそれぞれ上下方向に立ち上がる平面状の第一の立ち上がり面部および第二の立ち上がり面部と、
前記第一の立ち上がり面部と前記第二の立ち上がり面部との間に渡されたビス支持部と、
前記金具長さ方向一端側において前記第一の立ち上がり面部の上端部から横方向に折り曲げられている第一の外側係止部と、
前記第一の外側係止部の先端部に設けられた下方に突出する第一の外側係止部食い込み突起部と、
前記金具長さ方向他端側において前記第二の立ち上がり面部の上端部から横方向かつ前記第一の外側係止部と同じ側に折り曲げられている第二の外側係止部と、
前記第二の外側係止部の先端部に設けられた下方に突出する第二の外側係止部食い込み突起部と、
前記第一の外側係止部と前記第二の外側係止部との間の部分において前記第一の立ち上がり面部および前記第二の立ち上がり面部の上端部から横方向かつ前記第一の外側係止部および前記第二の外側係止部とは反対側に折り曲げられている中央側係止部と、
前記中央側係止部の先端部に設けられた下方に突出する中央側係止部食い込み突起部とを一枚の金属板から加工されて一体的に有してなり、
前記ビス支持部は、軸方向を上下方向とする大略円弧状に湾曲されていて、ビスを挿通されるようになっており、
前記第一の外側係止部および前記第二の外側係止部が一方の前記デッキ材の前記取付溝、前記中央側係止部が他方の前記デッキ材の前記取付溝にそれぞれ挿入された状態で前記ビス支持部に挿通された前記ビスが前記デッキ材支持材にねじ込まれて締め付けられることにより、前記第一の外側係止部食い込み突起部および前記第二の外側係止部食い込み突起部が前記一方のデッキ材の前記取付溝の下面に食い込む一方、前記中央側係止部食い込み突起部が前記他方のデッキ材の前記取付溝の下面に食い込み、両方の前記デッキ材を前記デッキ材支持材に係止するようになっているデッキ材取付金具。
【請求項２】
前記第一の立ち上がり面部から切り起こされた第一の切り起こし部と、前記第二の立ち上がり面部から切り起こされた第二の切り起こし部とをさらに有している請求項１記載のデッキ材取付金具。
【請求項３】
前記第一の切り起こし部は上下方向に延びる辺が前記第一の立ち上がり面部に切り残されるようにして斜めに切り起こされていて、先端部に第一の切り起こし部食い込み突起部を設けられており、
前記第二の切り起こし部は上下方向に延びる辺が前記第二の立ち上がり面部に切り残されるようにして前記第一の切り起こし部と同じ側に斜めに切り起こされていて、先端部に第二の切り起こし部食い込み突起部を設けられており、
前記第一の切り起こし部食い込み突起部および前記第二の切り起こし部食い込み突起部は前記デッキ材の前記側面に当接されるようになっている請求項２記載のデッキ材取付金具。
【請求項４】
それぞれ上方に突出する第一の仮止め突起部および第二の仮止め突起部を前記一枚の金属板から加工されてさらに一体的に有しており、
前記第一の外側係止部および前記第二の外側係止部が一方の前記デッキ材の前記取付溝に挿入されたとき、前記第一の仮止め突起部および前記第二の仮止め突起部が前記取付溝の上面に押圧され、当該デッキ材取付金具が前記取付溝に仮止めされるようになっている請求項１乃至３のいずれか１項に記載のデッキ材取付金具。
【請求項５】
前記第一の仮止め突起部は、前記第一の立ち上がり面部の上端部から前記第一の外側係止部と同じ側に屈曲または湾曲して延びており、先端を自由端とされていて、外力を作用されていない状態では少なくとも一部が前記第一の外側係止部より上方に突出しており、
前記第二の仮止め突起部は、前記第二の立ち上がり面部の上端部から前記第二の外側係止部と同じ側に屈曲または湾曲して延びており、先端を自由端とされていて、外力を作用されていない状態では少なくとも一部が前記第二の外側係止部より上方に突出している請求項４記載のデッキ材取付金具。
【請求項６】
前記第一の立ち上がり面部および前記第二の立ち上がり面部と垂直方向に広がる平面状をなしていて、前記デッキ材支持材の上面に当接されることとなるようになっており、かつ前記ビスを挿通されるビス穴を設けられている底部を、前記一枚の金属板から加工されてさらに一体的に有している請求項１乃至５のいずれか１項に記載のデッキ材取付金具。
【請求項７】
前記底部の前記金具長さ方向における前記第一の立ち上がり面部側の端部に接するようにして前記第一の立ち上がり面部の下端部に切り込まれた第一の切り込み部と、前記底部の前記金具長さ方向における前記第二の立ち上がり面部側の端部に接するようにして前記第二の立ち上がり面部の下端部に切り込まれた第二の切り込み部とをさらに有している請求項６に記載のデッキ材取付金具。
【請求項８】
前記第一の立ち上がり面部の前記金具長さ方向外側の端部から前記第一の切り起こし部および前記第二の切り起こし部とは反対側に斜めに折り曲げられた第一の折り曲げ片と、
前記第一の折り曲げ片の先端部に設けられた第一の折り曲げ片食い込み突起部と、
前記第二の立ち上がり面部の前記金具長さ方向外側の端部から前記第一の折り曲げ片と同じ側に斜めに折り曲げられた第二の折り曲げ片と、
前記第二の折り曲げ片の先端部に設けられた第二の折り曲げ片食い込み突起部とを、前記一枚の金属板から加工されてさらに一体的に有しており、
前記第一の折り曲げ片食い込み突起部および第二の折り曲げ片食い込み突起部は前記デッキ材の前記側面に当接されるようになっている請求項２または３記載のデッキ材取付金具。
【請求項９】
それぞれ側面に長手方向に延びる取付溝を設けられた複数のデッキ材を互いに平行に並んだ状態でデッキ材取付金具によりデッキ材支持材上に取り付けるデッキ材取付構造において、
前記デッキ材取付金具は、
当該取付金具のうちの前記デッキ材の前記長手方向に対応する方向（以下、金具長さ方向という）の一端側および他端側においてそれぞれ上下方向に立ち上がる平面状の第一の立ち上がり面部および第二の立ち上がり面部と、
前記第一の立ち上がり面部と前記第二の立ち上がり面部との間に渡されるとともに軸方向を上下方向とする大略円弧状に湾曲されているビス支持部と、
前記金具長さ方向一端側において前記第一の立ち上がり面部の上端部から横方向に折り曲げられている第一の外側係止部と、
前記第一の外側係止部の先端部に設けられた下方に突出する第一の外側係止部食い込み突起部と、
前記金具長さ方向他端側において前記第二の立ち上がり面部の上端部から横方向に折り曲げられている第二の外側係止部と、
前記第二の外側係止部の先端部に設けられた下方に突出する第二の外側係止部食い込み突起部と、
前記第一の外側係止部と前記第二の外側係止部との間の部分において前記第一の立ち上がり面部および前記第二の立ち上がり面部の上端部から横方向かつ前記第一の外側係止部および前記第二の外側係止部とは反対側に折り曲げられた中央側係止部と、
前記中央側係止部の先端部に設けられた下方に突出する中央側係止部食い込み突起部とを一枚の金属板から加工されて一体的に有してなり、
前記デッキ材取付金具の前記ビス支持部にビスが挿通され、前記第一の外側係止部および前記第二の外側係止部が一方の前記デッキ材の前記取付溝、前記中央側係止部が他方の前記デッキ材の前記取付溝にそれぞれ挿入された状態で前記ビスが前記デッキ材支持材にねじ込まれて締め付けられることにより、前記第一の外側係止部食い込み突起部および前記第二の外側係止部食い込み突起部が前記一方のデッキ材の前記取付溝の下面に食い込む一方、前記中央側係止部食い込み突起部が前記他方のデッキ材の前記取付溝の下面に食い込み、両方の前記デッキ材が前記デッキ材支持材に係止されるデッキ材取付構造。
【発明の詳細な説明】
【技術分野】
【０００１】
本発明は、ベランダ、バルコニー、屋上、公園、遊歩道等においてデッキ床を構成するデッキ材を大引、根太等のデッキ材支持材に取り付けるためのデッキ材取付金具およびデッキ材取付構造に関する。
【背景技術】
【０００２】
この種のデッキ材取付構造においては、温度変化によりデッキ材が伸縮するため、デッキ材取付金具でデッキ材をデッキ材支持材に完全に固定することは避けることが好ましい。
【０００３】
このため、従来のデッキ材取付金具は、該金具に設けられた係止部でデッキ材を単に上から押さえるだけで、デッキ材をデッキ材支持材に取り付けるようになっており、デッキ材は、デッキ材取付金具の係止部に対し滑ることにより、幅方向および長さ方向に動くことができるようになっていた（例えば、特許文献１参照）。
【０００４】
したがって、デッキ材は幅方向および長さ方向に基本的に無制限に動き得るようになっていたので、デッキ材の取付位置が本来の位置からずれてしまったり、極端な場合には、デッキ材取付金具からデッキ材が外れてしまう虞があるという問題があった。
【０００５】
そこで本出願人等は、デッキ材の幅方向および長さ方向の動きをある程度許容して、温度変化によるデッキ材の伸縮を吸収し、なおかつデッキ材が幅方向および長さ方向に無制限には動くことができないようにすることができるデッキ材取付金具およびデッキ材取付構造を提案した（特許文献２）。この提案に係るデッキ材取付金具は、一枚の金属板を大略２つ折りにし、片方の部分が第一半部、他の片方の部分が第二半部を形成し、第一半部の第一の対向面部と第二半部の第二の対向面部とが互いにほぼ平行な状態で対向される構成としたもので、デッキ材の幅方向に関しては、温度変化によってデッキ材が伸縮しても、第一半部の第一の対向面部と第二半部の第二の対向面部との間の間隙の大きさが変化するようにデッキ材取付金具が弾性変形することにより、前記デッキ材の伸縮を吸収するようになっていた。
【先行技術文献】
【特許文献】
【０００６】
【特許文献１】特開２００５−２６４６６３号公報
【特許文献２】特開２０１１−２３６６０１号公報
【発明の概要】
【発明が解決しようとする課題】
【０００７】
しかしながら前記特許文献２に開示されたデッキ材取付金具およびデッキ材取付構造においては、デッキ材取付金具が一枚の金属板を大略２つ折りにして構成されるので、金属板材料量を多く要し、製造コストが高くなるという問題があった。
【０００８】
本発明は、このような従来の事情に鑑みてなされたもので、本発明の目的の一つは、デッキ材の幅方向および長さ方向の動きをある程度許容して、温度変化によるデッキ材の伸縮を吸収し、なおかつデッキ材が幅方向および長さ方向に無制限には動くことができないようにでき、その上、材料量を多く要せず、製造コストを低減できるデッキ材取付金具およびデッキ材取付構造を提供することにある。
【０００９】
本発明のさらに他の目的は、以下の説明から明らかになろう。
【課題を解決するための手段】
【００１０】
本発明によるデッキ材取付金具は、
それぞれ側面に長手方向に延びる取付溝を設けられた複数のデッキ材を互いに平行に並んだ状態でデッキ材支持材上に取り付けるデッキ材取付金具において、
当該取付金具のうちの前記デッキ材の前記長手方向に対応する方向（以下、金具長さ方向という）の一端側および他端側においてそれぞれ上下方向に立ち上がる平面状の第一の立ち上がり面部および第二の立ち上がり面部と、
前記第一の立ち上がり面部と前記第二の立ち上がり面部との間に渡されたビス支持部と、
前記金具長さ方向一端側において前記第一の立ち上がり面部の上端部から横方向に折り曲げられている第一の外側係止部と、
前記第一の外側係止部の先端部に設けられた下方に突出する第一の外側係止部食い込み突起部と、
前記金具長さ方向他端側において前記第二の立ち上がり面部の上端部から横方向かつ前記第一の外側係止部と同じ側に折り曲げられている第二の外側係止部と、
前記第二の外側係止部の先端部に設けられた下方に突出する第二の外側係止部食い込み突起部と、
前記第一の外側係止部と前記第二の外側係止部との間の部分において前記第一の立ち上がり面部および記第二の立ち上がり面部の上端部から横方向かつ前記第一の外側係止部および前記第二の外側係止部とは反対側に折り曲げられている中央側係止部と、
前記中央側係止部の先端部に設けられた下方に突出する中央側係止部食い込み突起部とを一枚の金属板から加工されて一体的に有してなり、
前記ビス支持部は、軸方向を上下方向とする大略円弧状に湾曲されていて、ビスを挿通されるようになっており、
前記第一の外側係止部および前記第二の外側係止部が一方の前記デッキ材の前記取付溝、前記中央側係止部が他方の前記デッキ材の前記取付溝にそれぞれ挿入された状態で前記ビス支持部に挿通された前記ビスが前記デッキ材支持材にねじ込まれて締め付けられることにより、前記第一の外側係止部食い込み突起部および前記第二の外側係止部食い込み突起部が前記一方のデッキ材の前記取付溝の下面に食い込む一方、前記中央側係止部食い込み突起部が前記他方のデッキ材の前記取付溝の下面に食い込み、両方の前記デッキ材を前記デッキ材支持材に係止するようになっているものである。
【００１１】
また、本発明によるデッキ材取付構造は、
それぞれ側面に長手方向に延びる取付溝を設けられた複数のデッキ材を互いに平行に並んだ状態でデッキ材取付金具によりデッキ材支持材上に取り付けるデッキ材取付構造において、
前記デッキ材取付金具は、
当該取付金具のうちの前記デッキ材の前記長手方向に対応する方向（以下、金具長さ方向という）の一端側および他端側においてそれぞれ上下方向に立ち上がる平面状の第一の立ち上がり面部および第二の立ち上がり面部と、
前記第一の立ち上がり面部と前記第二の立ち上がり面部との間に渡されるとともに軸方向を上下方向とする大略円弧状に湾曲されているビス支持部と、
前記金具長さ方向一端側において前記第一の立ち上がり面部の上端部から横方向に折り曲げられている第一の外側係止部と、
前記第一の外側係止部の先端部に設けられた下方に突出する第一の外側係止部食い込み突起部と、
前記金具長さ方向他端側において前記第二の立ち上がり面部の上端部から横方向に折り曲げられている第二の外側係止部と、
前記第二の外側係止部の先端部に設けられた下方に突出する第二の外側係止部食い込み突起部と、
前記第一の外側係止部と前記第二の外側係止部との間の部分において前記第一の立ち上がり面部および前記第二の立ち上がり面部の上端部から横方向かつ前記第一の外側係止部および前記第二の外側係止部とは反対側に折り曲げられた中央側係止部と、
前記中央側係止部の先端部に設けられた下方に突出する中央側係止部食い込み突起部とを一枚の金属板から加工されて一体的に有してなり、
前記デッキ材取付金具の前記ビス支持部にビスが挿通され、前記第一の外側係止部および前記第二の外側係止部が一方の前記デッキ材の前記取付溝、前記中央側係止部が他方の前記デッキ材の前記取付溝にそれぞれ挿入された状態で前記ビスが前記デッキ材支持材にねじ込まれて締め付けられることにより、前記第一の外側係止部食い込み突起部および前記第二の外側係止部食い込み突起部が前記一方のデッキ材の前記取付溝の下面に食い込む一方、前記中央側係止部食い込み突起部が前記他方のデッキ材の前記取付溝の下面に食い込み、両方の前記デッキ材が前記デッキ材支持材に係止されるものである。
【００１２】
本発明においては、ビスを締め付けると、第一の外側係止部食い込み突起部、第二の外側係止部食い込み突起部および中央側係止部食い込み突起部が両側のデッキ材の取付溝の下面に食い込み、両側のデッキ材を係止するので、デッキ材が幅方向および長さ方向に無制限には動くことができないようにすることができる。
【００１３】
その一方、デッキ材の幅方向に関しては、温度変化によってデッキ材が伸縮しても、中央側係止部に対し相対的に第一の外側係止部および第二の外側係止部が変位することとなるように第一の立ち上がり面部および第二の立ち上がり面部が弾性変形するので、前記デッキ材の伸縮を吸収することができる。
【００１４】
また、デッキ材の長さ方向に関しては、軸支持部等のデッキ材取付金具のビスを挿通される部分の内径をビスの軸径より十分大きくしてビスとの間に遊びを持たせることにより、また軸支持部の弾性変形により、ビスとデッキ材取付金具との間に相対的な動きが可能になるので、温度変化によるデッキ材の伸縮を吸収することができる。
【００１５】
その上、デッキ材取付金具を一枚の金属板を２つ折りすることなく構成できるので、金属板材料量を多く要せず、デッキ材取付金具の製造コストを低減できる。
【発明の効果】
【００１６】
本発明のデッキ材取付金具およびデッキ材取付構造は、
（イ）デッキ材の幅方向および長さ方向の動きをある程度許容して、温度変化によるデッキ材の伸縮を吸収し、なおかつデッキ材が幅方向および長さ方向に無制限には動くことができないようにすることができる、
（ロ）その上、材料量を多く要せず、デッキ材取付金具の製造コストを低減できる、
等の優れた効果を得られるものである。
【図面の簡単な説明】
【００１７】
【図１】本発明の一実施例におけるデッキ材取付金具を示す斜視図である。
【図２】前記デッキ材取付金具を示す正面図である。
【図３】前記デッキ材取付金具を示す背面図である。
【図４】前記デッキ材取付金具を示す右側面図である。
【図５】前記デッキ材取付金具を示す平面図である。
【図６】前記デッキ材取付金具を示す底面図である。
【図７】図２のＶＩＩ−ＶＩＩ線における断面図である。
【図８】図２のＶＩＩＩ−ＶＩＩＩ線における断面図である。
【図９】図５のＩＸ−ＩＸ線における断面図である。
【図１０】前記実施例におけるデッキ材の取り付け工程を示す断面図である。
【図１１】図１０の要部を示す拡大断面図である。
【図１２】前記実施例におけるデッキ材の次の取り付け工程を示す断面図である。
【図１３】前記実施例における取付作業完了後のデッキ材取付構造を示す断面図である。
【図１４】図１３の要部を示す拡大断面図である。
【図１５】前記実施例における温度変化によるデッキ材の伸縮に応じたデッキ材取付金具の変形を示す模式図である。
【発明を実施するための形態】
【００１８】
以下、本発明を図面に示す実施例に基づいて説明する。
【実施例１】
【００１９】
図１〜１５は本発明の一実施例を示している。本実施例におけるデッキ材１は、木粉と樹脂を混合してなる人工木材からなり、図１０〜１４に示されるように、全体に中空状で、図１０〜１４における紙面に垂直な方向に長く延びる縦長の形状をなしており、両側面１ａに長手方向に延びる断面矩形状の取付溝２を設けられている。なお、本発明においては、デッキ材１の材質は、本実施例のような木粉と樹脂を混合してなる人工木材に限定されることはなく、木材、樹脂、金属等の他の材質であってもよい。
【００２０】
前記デッキ材１は、やはり図１０〜１４に示されている木材、人工木材または鋼鉄等の金属等からなる大引、根太等のデッキ材支持材３に、次に説明するデッキ材取付金具４を用いて取り付けられる。
【００２１】
図１〜９は本実施例におけるデッキ材取付金具４を示している。このデッキ材取付金具４は、ブロンズ、鋼鉄、ステンレス鋼、真鍮等の金属からなる一枚の金属板をプレス加工してなり、以下に述べる構成要素を一体的に有している。
【００２２】
前記デッキ材取付金具４のうちのデッキ材１の長手方向に対応する方向（図２における左右方向であり、以下、金具長さ方向という）の一端側および他端側には、それぞれ上下方向に立ち上がる平面状の第一の立ち上がり面部５および第二の立ち上がり面部６が設けられている。前記第一の立ち上がり面部５と第二の立ち上がり面部６との間には、それぞれ帯状をなす第一のビス支持部７および第二のビス支持部８が渡されている。前記第一のビス支持部７および第二のビス支持部８は、それぞれ第一の立ち上がり面部５および第二の立ち上がり面部６から互いに逆方向に突出することとなるように、軸方向を上下方向とする大略円弧状に湾曲されていて、図１０〜１４のように該第一のビス支持部７および第二のビス支持部８間にビス９を上下方向に挿通できるようになっている。前記ビス９はデッキ材１をデッキ材支持材３に取り付けるためのものである。
【００２３】
前記デッキ材取付金具４の金具長さ方向一端側には、第一の立ち上がり面部５の上端部から横方向に折り曲げられた第一の外側係止部１０が設けられている。この第一の外側係止部１０の基本的部分は、大略平面状かつ矩形状をなしているが、該第一の外側係止部１０の先端部には、下方に突出する三角歯状の第一の外側係止部食い込み突起部１１が設けられている。前記デッキ材取付金具４の金具長さ方向他端側には、第二の立ち上がり面部６の上端部から横方向かつ第一の外側係止部１０と同じ側に折り曲げられた第二の外側係止部１２が設けられている。この第二の外側係止部１２の基本的部分は、大略平面状かつ矩形状をなしているが、該第二の外側係止部１２の先端部には、下方に突出する三角歯状の第二の外側係止部食い込み突起部１３が設けられている。
【００２４】
前記第一の外側係止部１０と第二の外側係止部１２との間の部分には、第一の立ち上がり面部５および第二の立ち上がり面部６の上端部から横方向かつ第一の外側係止部１０および第二の外側係止部１２とは反対側に折り曲げられた１つの中央側係止部１４が設けられている。この中央側係止部１４の基本的部分は、大略平面状かつ矩形状をなしているが、該中央側係止部１４の先端部には、下方に突出する三角歯状の中央側係止部食い込み突起部１５が設けられている。前記中央側係止部１４のうちの第一の立ち上がり面部５および第二の立ち上がり面部６からの折曲部の中央付近には、第一のビス支持部７および第二のビス支持部８と同軸に半円状のビス挿入凹部１６が設けられている。
【００２５】
前記第一の立ち上がり面部５のうちの第一の外側係止部１０の金具長さ方向内側端部の下方付近の一部は、切り起こされて第一の切り起こし部１７とされている。この第一の切り起こし部１７は、上下方向に延びる辺１７ａが第一の立ち上がり面部５に切り残されるようにして斜めに切り起こされていて、先端部に三角歯状の第一の切り起こし部食い込み突起部１８を設けられている。前記第二の立ち上がり面部６のうちの第二の外側係止部１２の金具長さ方向内側端部の下方付近の一部は、切り起こされて第二の切り起こし部２１とされている。この第二の切り起こし部２１は、上下方向に延びる辺２１ａが第二の立ち上がり面部６に切り残されるようにして第一の切り起こし部１７と同じ側に斜めに切り起こされていて、先端部に三角歯状の第二の切り起こし部食い込み突起部２２を設けられている。
【００２６】
前記第一の立ち上がり面部５および第二の立ち上がり面部６の下端側には、これらの立ち上がり面部５，６から２回屈曲されて形成された一つの平面状をなす底部２３が設けられおり、この底部２３には第一のビス支持部７、第二のビス支持部８およびビス挿入凹部１６と同軸にビス穴２４（図６および７参照）が設けられている。前記第一の立ち上がり面部５と第二の立ち上がり面部６との間に渡されるとともに底部２３に連続するようにして、第三のビス支持部２５が設けられている。この第三のビス支持部２５は、第一のビス支持部７と同じ側に突出するようにして軸方向を上下方向とする大略円弧状に湾曲されていて、前記ビス挿入凹部１６、第一のビス支持部７、第二のビス支持部８およびビス穴２４とともにビス９を挿通されるようになっている。
【００２７】
前記第一の立ち上がり面部５の下端部には、底部２３の金具長さ方向一端部に接するようにして第一の切り込み部２６が切り込まれている。前記第二の立ち上がり面部６の下端部には、底部２３の金具長さ方向他端部に接するようにして第二の切り込み部２７が切り込まれている。
【００２８】
前記デッキ材取付金具４には、第一の立ち上がり面部５の金具長さ方向外側の端部から第一の切り起こし部１７および第二の切り起こし部２１とは反対側に斜めに折り曲げられた第一の折り曲げ片２８が設けられており、この第一の折り曲げ片２８の先端部には三角歯状の第一の折り曲げ片食い込み突起部２９が設けられている。また、前記第二の立ち上がり面部６の金具長さ方向外側の端部から第一の折り曲げ片２８と同じ側に斜めに折り曲げられた第二の折り曲げ片３０が設けられており、この第二の折り曲げ片３０の先端部には三角歯状の第二の折り曲げ片食い込み突起部３１が設けられている。
【００２９】
前記金具長さ方向一端部には、第一の仮止め突起部３２が設けられている。この第一の仮止め突起部３２は第一の立ち上がり面部５の上端部から第一の外側係止部１０と同じ側に屈曲して細長く延びており、外力を作用されていない状態では少なくともその一部が第一の外側係止部１０より上方に突出しており、先端を自由端とされている。前記金具長さ方向他端部には、第二の仮止め突起部３３が設けられている。この第二の仮止め突起部３３は第二の立ち上がり面部６の上端部から第二の外側係止部１２と同じ側に屈曲して細長く延びており、外力を作用されていない状態では少なくともその一部が第二の外側係止部１２より上方に突出しており、先端を自由端とされている。
【００３０】
次に、図１０〜１４を用いて、本実施例におけるデッキ材１の取り付け工程およびデッキ材取付構造を説明する。
【００３１】
まず、図１０および１１に示されるように、先行のデッキ材１をデッキ材支持材３上の所定の位置に載置する。
【００３２】
次に、図１０および１１のように（図１１は図１０の要部を示す拡大断面図である）、ビス９をビス挿入凹部１６、第一のビス支持部７、第二のビス支持部８、第三のビス支持部２５およびビス穴２４からなる該ビス９の挿通路の途中まで挿入し、該ビス９が挿入されている状態のまま、第一の外側係止部１０および第二の外側係止部１２をデッキ材１の取付溝２に挿入するとともに、第一の折り曲げ片食い込み突起部２９、第二の折り曲げ片食い込み突起部３１および第三のビス支持部２５の外周をそれぞれデッキ材１の側面１ａに当接する。すると、図１１の拡大図によく示されるように、第一の外側係止部食い込み突起部１１および第二の外側係止部食い込み突起部１３が先行のデッキ材１の取付溝２の下面２ａに当接するとともに第一の仮止め突起部３２および第二の仮止め突起部３３が取付溝２の上面２ｂに押圧されて下方に移動し、該第一の仮止め突起部３２および第二の仮止め突起部３３がその弾性復元力により取付溝２の上面２ｂを押圧するので、デッキ材１の取付溝２にデッキ材取付金具４が仮止めされた状態となる。
【００３３】
続いて、図１２に示されるように、後続のデッキ材１を、前記先行のデッキ材１の隣に平行に載置し、中央側係止部１４が後続のデッキ材１の取付溝２に挿入されるようにし、中央側係止部食い込み突起部１５が後続のデッキ材１の取付溝２の下面２ａに対向されるとともに、第一の切り起こし部食い込み突起部１８、第二の切り起こし部食い込み突起部２２および第二のビス支持部８の外周が後続のデッキ材１の側面１ａにそれぞれ当接されるようにする。
【００３４】
なお、この図１２の状態においては、デッキ材取付金具４の底部２３がデッキ材支持材３の上面からわずかな距離だけ浮いた状態となっているようにすることが好ましい。これは、必要なときはデッキ材取付金具４の位置合わせのための移動を容易にするとともに最終的なデッキ材１の取付強度を増大する等のためである（ただし、本発明においては図１２に対応する状態において、デッキ材取付金具４の底部２３がデッキ材支持材３の上面に接するようにしてもよい）。
【００３５】
次に、ビス９を締め付け方向に回転すると、ビス９は下降して行き、デッキ材取付金具４の底部２３のビス穴２４を通過して、デッキ材支持材３に侵入して行くので、デッキ材取付金具４を介して先行および後続のデッキ材１を締め付けることができる。これにより、第一の外側係止部食い込み突起部１１、第二の外側係止部食い込み突起部１３および中央側係止部食い込み突起部１５が両側のデッキ材１の取付溝２の下面２ａにそれぞれ食い込み、隣り合うデッキ材１がデッキ材支持材３に係止されるとともに、デッキ材取付金具４の底部２３がデッキ材支持材３の上面に当接される。図１３は本実施例における取付作業完了後のデッキ材取付構造を示す断面図、図１４は図１３のデッキ材取付金具４付近を示す拡大断面図である。このようにして、隣り合うデッキ材１が、互いの間の間隔（目地幅）Ｗを第一の折り曲げ片食い込み突起部２９、第二の折り曲げ片食い込み突起部３１および第三のビス支持部２５の外周と第一の切り起こし部食い込み突起部１８、第二の切り起こし部食い込み突起部２２および第二のビス支持部８の外周との間の間隔で規定されて、互いに平行に並んだ状態でデッキ材支持材３上に取り付けられる。
【００３６】
以下同様にして、次々とデッキ材１を互いに平行に並んだ状態でデッキ材支持材３上に取り付けることができる。
【００３７】
このデッキ材取付金具４およびデッキ材取付構造においては、ビス９を締め付けると、第一の外側係止部食い込み突起部１１、第二の外側係止部食い込み突起部１３および中央側係止部食い込み突起部１５が両側のデッキ材１の取付溝２の下面２ａに食い込み、両側のデッキ材１を係止するので、デッキ材１が幅方向および長さ方向に無制限には動くことができないようにすることができる。
【００３８】
その一方、デッキ材１の幅方向（図１３，１４における左右方向）に関しては、温度変化によってデッキ材１が伸縮しても、図１５の一点鎖線および二点鎖線で示すように、中央側係止部１４に対し相対的に第一の外側係止部１０および第二の外側係止部１２が変位することとなるように第一の立ち上がり面部５および第二の立ち上がり面部６が弾性変形するので、前記デッキ材１の伸縮を吸収することができる。
【００３９】
また、デッキ材１の長さ方向（図１３，１４における紙面に垂直な方向）に関しては、デッキ材取付金具４のビス９を挿通される部分の内径をビス９の軸径より十分大きくしてビス９との間に遊びを持たせることにより、また第一のビス支持部７、第二のビス支持部８および第三のビス支持部２５の弾性変形により、ビス９とデッキ材取付金具４との間に相対的な動きが可能になるので、温度変化によるデッキ材１の伸縮を吸収することができる。
【００４０】
なお、デッキ材１の幅方向に関しては、ビス９を挿通される部分の内径をビス９の軸径より十分大きくしてビス９との間に遊びを持たせることや、第一のビス支持部７、第二のビス支持部８および第三のビス支持部２５の弾性変形によっては、温度変化によるデッキ材１の伸縮を基本的には吸収することができない。この方向に関しては、デッキ材取付金具４は温度変化に基づくデッキ材１の伸縮により両側のデッキ材１から互いに反対向きの力を作用されるからである。他方、デッキ材１の長さ方向に関しては、デッキ材取付金具４は温度変化に基づくデッキ材１の伸縮により両側のデッキ材１から同じ向きの力を作用されるので、前述のようにビス９を挿通される部分の内径をビス９の軸径より十分大きくしてビス９との間に遊びを持たせることにより、また第一のビス支持部７、第二のビス支持部８および第三のビス支持部２５の弾性変形により、温度変化によるデッキ材１の伸縮を吸収することができるのである。
【００４１】
そして、このデッキ材取付金具４およびデッキ材取付構造においては、デッキ材取付金具４を一枚の金属板を２つ折りすることなく構成できるので、金属板材料量を多く要せず、デッキ材取付金具４の製造コストを低減できる。
【００４２】
また、本実施例では、前述のようにデッキ材１の取り付け過程において、第一の仮止め突起部３２および第二の仮止め突起部３３によりデッキ材１の取付溝２にデッキ材取付金具４が仮止めされた状態となるので、デッキ材１取付作業中にデッキ材取付金具４が所定の位置から作業者の意図に反して勝手に動いてしまうことがなく、デッキ材１取付作業を容易に能率よく行うことができる。また、第一の仮止め突起部３２および第二の仮止め突起部３３によりデッキ材取付金具４が完全に固定されてしまう訳ではないので、ビス９締め付け前は、必要であれば、作業者はデッキ材１に対しデッキ材取付金具４を動かして、デッキ材取付金具４の位置を調整することもできる。
【００４３】
また、本実施例においては、第一の切り起こし部１７、第二の切り起こし部２１、第一の折り曲げ片２８、第二の折り曲げ片３０の先端部にそれぞれ第一の切り起こし部食い込み突起部２１、第二の切り起こし部食い込み突起部２２、第一の折り曲げ片食い込み突起部２９，第二の折り曲げ片食い込み突起部３１が設けられているので、これらの食い込み突起部１７，２１，２８，３０がデッキ材１の側面１ａに食い込むことによっても、デッキ材取付金具４によりデッキ材１を係止し、より確実にデッキ材１が幅方向および長さ方向に無制限には動くことができないようにすることができる。
【００４４】
また、本実施例では、第一の切り起こし部１７、第二の切り起こし部２１，第一の切り込み部２６および第二の切り込み部２７が設けられているので、デッキ材１の幅方向に関して、温度変化によってデッキ材１が伸縮したとき、中央側係止部１４に対し相対的に第一の外側係止部１０および第二の外側係止部１２が変位し易くなるように、第一の立ち上がり面部５および第二の立ち上がり面部６をより弾性変形し易くすることができる。
【００４５】
なお、前記実施例においては、第一の外側係止部１０および第二の外側係止部１２が先行のデッキ材１側、中央側係止部１４が後続のデッキ材１側に挿入されるようにしているが、本発明においては、勿論、逆に中央側係止部１４が先行のデッキ材１側、第一の外側係止部１０および第二の外側係止部１２が後続のデッキ材１側に挿入されるようにしてしてもよい。この場合、第一の仮止め突起部３２および第二の仮止め突起部３３と同様の仮止め突起部を中央側係止部１４側にも設けておけば、前記実施例と同様の仮止め効果も得ることができる。
【００４６】
また、前記実施例においては、第一の仮止め突起部３２および第二の仮止め突起部３３は細長い形状で先端を自由端とされているが、本発明においては、仮止め突起部の形状は前記実施例のような形状に限定されることはなく、例えば自由端を有さない突起部としてもよく、その場合も前記実施例の場合と同様の仮止め効果を得ることができる（ただし、その場合は前記実施例のような自由端を有する仮止め突起部に比し弾性変形しにくいので、仮止め作用の性能は劣る）。
【００４７】
また、本発明においては、第一の外側係止部食い込み突起部１１、第二の外側係止部食い込み突起部１３、中央側係止部食い込み突起部２０は、前記実施例のように真下に向かって突出するのではなく、斜め下方に突出するようにしてもよい。
【００４８】
また、前記実施例では、ビス支持部７，８，２５が３つ設けられているが、ビス支持部の数は任意である。
【００４９】
また、本発明においては、第一の外側係止部食い込み突起部１１，第二の外側係止部食い込み突起部１３、中央側係止部食い込み突起部１５，第一の切り起こし部食い込み突起部１８，第二の切り起こし部食い込み突起部２２、第一の折り曲げ片食い込み突起部２９および第二の折り曲げ片食い込み突起部３１は、必ずしも前記実施例のように三角歯状ではなく、他の形状の突起部としてもよい。
【産業上の利用可能性】
【００５０】
以上のように本発明によるデッキ材取付金具およびデッキ材取付構造は、ベランダ、バルコニー、屋上、公園、遊歩道等においてデッキ床を構成するデッキ材を大引、根太等のデッキ材支持材に取り付けるためのデッキ材取付金具およびデッキ材取付構造として有用である。
【符号の説明】
【００５１】
１    デッキ材
１ａ  デッキ材の側面
２    取付溝
２ａ  取付溝の下面
２ｂ  取付溝の上面
３    デッキ材支持材
４    デッキ材取付金具
５    第一の立ち上がり面部
６    第二の立ち上がり面部
７    第一のビス支持部
８    第二のビス支持部
９    ビス
１０    第一の外側係止部
１１    第一の外側係止部食い込み突起部
１２    第二の外側係止部
１３    第二の外側係止部食い込み突起部
１４    中央側係止部
１５    中央側係止部食い込み突起部
１７    第一の切り起こし部
１７ａ  辺
１８    第一の切り起こし部食い込み突起部
２１    第二の切り起こし部
２１ａ  辺
２２    第二の切り起こし部食い込み突起部
２３    底部
２５    第三のビス支持部
２６    第一の切り込み部
２７    第二の切り込み部
２８    第一の折り曲げ片
２９    第一の折り曲げ片食い込み突起部
３０    第二の折り曲げ片
３１    第二の折り曲げ片食い込み突起部
３２    第一の仮止め突起部
３３    第二の仮止め突起部
【図１】
0006364144.tif 000002
【図２】
0006364144.tif 000003
【図３】
0006364144.tif 000004
【図４】
0006364144.tif 000005
【図５】
0006364144.tif 000006
【図６】
0006364144.tif 000007
【図７】
0006364144.tif 000008
【図８】
0006364144.tif 000009
【図９】
0006364144.tif 000010
【図１０】
0006364144.tif 000011
【図１１】
0006364144.tif 000012
【図１２】
0006364144.tif 000013
【図１３】
0006364144.tif 000014
【図１４】
0006364144.tif 000015
【図１５】
0006364144.tif 000016